(57)【要約】【課題】手動操作による開閉ハンドルを有するバルブに設置され、当該開閉ハンドルが、適正操作後、不用意に、誤操作により、あるいは、不正操作により開閉動作するおそれがなく、また、バルブのセキュリティを確保し得るバルブの開閉ハンドルロック機構を提供することを課題とする。【解決手段】流路を開閉操作するための開閉ハンドル１に被装するロック用キャップ４から成り、ロック用キャップ４は開閉ハンドル１の操作を不可にする機能を具備していることを特徴とする。ロック用キャップ４は、開閉ハンドル１からハンドル設置部３にかけて被装するものであり、開閉ハンドル１の端部を挿通する開口５を有し、あるいは、開閉ハンドル１の端部を摺動させて逃がす縦溝を有している。【選択図】図１
2005188551.tif 000002
【特許請求の範囲】
【請求項１】
流路を開閉操作するための開閉ハンドルに被装するロック用キャップから成り、前記ロック用キャップは前記開閉ハンドルの操作を不可にする機能を具備していることを特徴とするバルブの開閉ハンドルロック機構。
【請求項２】
前記ロック用キャップは、前記開閉ハンドルからハンドル設置部にかけて被装するものである請求項１に記載のバルブの開閉ハンドルロック機構。
【請求項３】
前記ロック用キャップは、前記開閉ハンドルの端部を挿通する開口を有している請求項１に記載のバルブの開閉ハンドルロック機構。
【請求項４】
前記ロック用キャップは、前記開閉ハンドルの端部を摺動させて逃がす縦溝を有している請求項１に記載のバルブの開閉ハンドルロック機構。
【請求項５】
前記ロック用キャップは、前記ハンドル設置部にネジ止めされる請求項１に記載のバルブの開閉ハンドルロック機構。
【請求項６】
前記ロック用キャップは、前記ハンドル設置部にネジ付けられる請求項１に記載のバルブの開閉ハンドルロック機構。
【請求項７】
前記ロック用キャップは、前記ハンドル設置部に、互いに係合し合う凹凸部を介して係止される請求項１に記載のバルブの開閉ハンドルロック機構。
【請求項８】
前記ロック用キャップは、抜き取り防止用のキー手段を備えている請求項１乃至７のいずれかに記載のバルブの開閉ハンドルロック機構。
【発明の詳細な説明】
【技術分野】
【０００１】
本発明はバルブの開閉ハンドルロック機構、より詳細には、水、薬液、ガス等の流路に組み込まれて、当該流路を開閉ハンドルの手動操作によって開閉するタイプのバルブに設置され、当該開閉ハンドルを、不用意に動作しないようにロックするバルブの開閉ハンドルロック機構に関するものである。
【背景技術】
【０００２】
各種工場において、循環供給される水、薬液、ガス等の流路を開閉するためのバルブとして、手動操作によって開閉ハンドルを水平方向に回転させ、あるいは、垂直方向に回動させるタイプのものがある。
【０００３】
上記バルブは、流体回路に対し突出した状態に設置されるため、作業者が流体回路に沿って移動した際等に開閉ハンドルに触れ、不用意に開閉操作をしてしまうおそれがある。また、何人も開閉操作可能であるため、故意に不正操作をしたり、未熟練者が誤操作をしたりするおそれがあり、バルブのセキュリティが保たれていないのが現状である。
【特許文献１】特開２００２−１４７６４６
【発明の開示】
【発明が解決しようとする課題】
【０００４】
上述したように、従来の手動操作による開閉ハンドルを有するバルブにおいては、その開閉ハンドルが不用意に、誤操作により、あるいは、不正操作により開閉動作するおそれがあり、また、セキュリティが確保されていないという問題があった。
【０００５】
本発明は、このような従来技術における問題点を解決するためになされたもので、手動操作による開閉ハンドルを有するバルブに設置され、当該開閉ハンドルが、適正操作後、不用意に、誤操作により、あるいは、不正操作により開閉動作するおそれがなく、また、バルブのセキュリティを確保し得るバルブの開閉ハンドルロック機構を提供することを課題とする。
【課題を解決するための手段】
【０００６】
本発明は、流路を開閉操作するための開閉ハンドルに被装するロック用キャップから成り、前記ロック用キャップは前記開閉ハンドルの操作を不可にする機能を具備していることを特徴とするバルブの開閉ハンドルロック機構、を以て上記課題を解決した。
【０００７】
前記ロック用キャップは、前記開閉ハンドルからハンドル設置部にかけて被装するものであり、前記ロック用キャップは、前記開閉ハンドルの端部を挿通する開口を有し、あるいは、前記ロック用キャップは、前記開閉ハンドルの端部を摺動させて逃がす縦溝を有している。
【０００８】
また、前記ロック用キャップは、前記ハンドル設置部にネジ止めし、あるいは、前記ハンドル設置部にネジ付けることによって固定し、あるいは、前記ロック用キャップは、前記ハンドル設置部に、互いに係合し合う凹凸部を介して係止させることができる。更に、前記ロック用キャップは、抜き取り防止用のキー手段を備えることもある。
【発明の効果】
【０００９】
本発明に係るバルブの開閉ハンドルロック機構を手動操作による開閉ハンドルを有するバルブに設置することにより、その開閉ハンドルをロックすることができ、以て適正操作後、不用意に、誤操作により、あるいは、不正操作により開閉動作するおそれがなくなり、流路の不適切な開閉による事故の発生を防止することができる。
【００１０】
また、請求項５乃至７に係る発明においては、上記効果に加え、ロック用キャップが確固と固定されて簡単には脱落しないという効果があり、請求項８に係る発明においては更に、キー管理者以外開閉操作することができないためにバルブのセキュリティが確保されるという効果がある。
【発明を実施するための最良の形態】
【００１１】
本発明の好ましい実施の形態を添付図面に依拠して説明する。図１乃至図５に示す実施形態は、開閉ハンドル１を垂直方向に９０度又は１８０度回動させるタイプのバルブに関するものであり、図６及び図７に示す実施形態は、開閉ハンドル１を水平方向に回動させるタイプのバルブに関するものである。
【００１２】
先ず、図１に示す第１の実施形態について説明する。開閉ハンドル１は、バルブ本体２の上面に設けられるハンドル設置部３に９０度回動可能に設置され、その起立時に流路を閉塞し、水平回動時に流路を開放する（逆に、起立時に開放するように構成することもできる。以下、いずれの実施形態においても、開閉ハンドル１の逆の操作で流路の開閉を行なうことができる。）。
【００１３】
４はロック用キャップで、開閉ハンドル１が起立状態にあるときに、開閉ハンドル１からハンドル設置部３にかけて装着する。ロック用キャップ４はその上面に、起立状態の開閉ハンドル１の上部を挿通して逃がすための開口５を有する。また、好ましくは、ロック用キャップ４の上部には、横方向から固定ネジ６をネジ込むためのネジ孔７を設ける。
【００１４】
この第１の実施形態の場合、開閉ハンドル１を起立させて流路を開き（あるいは閉じ）、その状態を維持させるためには、開閉ハンドル１からハンドル設置部３にかけてロック用キャップ４を被せればよい（図１（Ｂ））。即ち、ロック用キャップ４を被せることにより、開閉ハンドル１の上部が開口５から突出するために、開閉ハンドル１を回動させることができなくなる。そして、ロック用キャップ４が外れないようにするために、固定ネジ６を、ロック用キャップ４のネジ孔７からハンドル設置部３にかけてネジ込む。
【００１５】
更に、バルブの開閉操作を、当該バルブの管理者のみが行なえるようにしてセキュリティを高めることもできる。そのためには、例えば開閉ハンドル１の開口５から突出する部分に挿通孔８を設け、そこに、ワイヤー式キー９のワイヤー１０を通してキーロックするようにすればよい。
【００１６】
図２に示す第２の実施形態は、水平状態に回動した開閉ハンドル１をその状態に保持するためのもので、この場合も、開閉ハンドル１からハンドル設置部３にかけて被装するロック用キャップ１１が用いられる。
【００１７】
このロック用キャップ１１は、その上面に、開閉ハンドル１の側面（図示した水平回動時には上面となる）に設けた突部１２を突出させる開口１３を有し、また側面に、開閉ハンドル１を逃がす縦溝１４を有する。また、好ましくは、ロック用キャップ１１の下部に、固定ネジ１５をネジ込むためのネジ孔１６を設ける。
【００１８】
この第２の実施の形態の場合は、開閉ハンドル１を水平に回動させて流路を開き（あるいは閉じ）、その状態を維持させるために、開閉ハンドル１からハンドル設置部３にかけてロック用キャップ１１を被せる（図２（Ｂ））。即ち、ロック用キャップ１１を被装することにより、開閉ハンドル１は、縦溝１４に係止されて上方に回動させることができなくなる。そして、その状態を確実に維持するために、固定ネジ１５を、ロック用キャップ１１のネジ孔１６からハンドル設置部３にかけてネジ込む。
【００１９】
更に、第１の実施形態の場合と同様、セキュリティ確保のために、ワイヤー式キー１７を用いてキーロックすることもできる。この第２の実施形態の場合は、開口１３から突出する突部１２に、ワイヤー１８を通すための挿通孔１９を設ける。
【００２０】
図３に示す第３の実施形態は、開閉ハンドル１を起立状態においてロックするためのものである。そこにおけるロック用キャップ２１は、ハンドル設置部３に形成されたオネジ部２０に螺合するネジ環２２と、ネジ環２２の内側に支持される内筒２３から成り、内筒２３はその下端部に、ネジ環２２の上面に形成された内方フランジ２４に掛止される外方フランジ２５を有していて、ネジ環２２から上方に抜けることはない。内筒２３は、上面に開閉ハンドル１を突出させるための開口２６を有する。
【００２１】
この第３の実施形態の場合は、開閉ハンドル１を起立させて流路を開き（あるいは閉じ）、その状態を維持させるために、開閉ハンドル１を開口２６に通してロック用キャップ２１を開閉ハンドル１からハンドル設置部３にかけて被装し、ネジ環２２をオネジ部２０にネジ付ける。かくして開閉ハンドル１はロックされ、回動不可状態となる。
【００２２】
更に、第１及び第２の実施形態の場合と同様、セキュリティ確保のために、ワイヤー式キー（図示せず）を用いてキーロックすることもできる。その場合は、開閉ハンドル１の開口２６から突出する部分に、ワイヤーを通すための挿通孔２７を設ける。
【００２３】
図４及び図５に示す第４の実施形態は、バルブ本体２の開閉のために開閉ハンドル１を垂直方向に１８０度回動操作するタイプのバルブに関するものである。図示した例では、開閉ハンドル１を左に倒すことにより流路２が閉じられ、右に倒すと流路が開かれるもので、そこにおけるロック用キャップ３１は、流路を閉じた状態に保持するために用いられている。
【００２４】
ロック用キャップ３１は、開閉ハンドル１に上方から被装する際に開閉ハンドル１を逃がすための縦溝３２を有する（図５参照）。ロック用キャップ３１の内側面とこれに当接するハンドル設置部３の外側面との間に、係合し合う凹凸部３３を設けることが好ましい。この係合し合う凹凸部は、ロック用キャップ３１の抜け止め機能を果たす。
【００２５】
この第４の実施形態の場合は、開閉ハンドル１を水平に倒して流路を開き（あるいは閉じ）、その状態を維持させるために、開閉ハンドル１を縦溝３２に通してロック用キャップ３１を、開閉ハンドル１からハンドル設置部３にかけて被装し、凹凸部３３を係合させる。かくして開閉ハンドル１はロックされ、ロック用キャップ３１を外さない限り、回動不可状態となる。
【００２６】
更に、上記実施形態の場合と同様、セキュリティ確保のために、ワイヤー式キー（図示せず）を用いてキーロックすることもできる。この第４の実施形態の場合は、ロック用キャップ３１の側面を貫いてワイヤーを通すための挿通孔３４を設けると共に、開閉ハンドル１に、挿通孔３４と連通する挿通孔３５を設ける。
【００２７】
図６及び図７に示す第５の実施形態は、バルブ本体２の開閉のために開閉ハンドル１を、水平方向左右に９０度宛回動操作するタイプのバルブに関するものである。図示した例は、開閉ハンドル１が流路と平行状態にあるときに流路が開かれ、流路と直行状態にあるときに流路が閉じられるものであって、ロック用キャップ４１は、流路を開いた状態に保持するために用いられている。
【００２８】
ロック用キャップ４１は、開閉ハンドル１に上方から被装する際に開閉ハンドル１の両端部を逃がすための縦溝４２を対称的位置に有する。
【００２９】
この第５の実施形態の場合は、開閉ハンドル１を回して流路を開き（あるいは閉じ）、その状態を維持させるために、開閉ハンドル１の両端を縦溝４２に通して、ロック用キャップ４１を開閉ハンドル１からハンドル設置部３にかけて被装する。かくして開閉ハンドル１はロックされ、回動不可状態となる。
【００３０】
更に、上記実施形態の場合と同様、セキュリティ確保のために、ワイヤー式キー（図示せず）を用いてキーロックすることもできる。この第５の実施形態の場合は、ロック用キャップ４１の側面を貫いてワイヤーを通すための挿通孔４３を設けると共に、開閉ハンドル１に、挿通孔４３と連通する挿通孔４４を設ける。なお、挿通孔４３を開閉ハンドル１を避けた位置（図中符号４３ａで示す位置）に穿設する場合は、挿通孔４４は不要となる。
【図面の簡単な説明】
【００３１】
【図１】本発明の第１の実施形態の構成及び使用状態を示す図である。
【図２】本発明の第２の実施形態の構成及び使用状態を示す図である。
【図３】本発明の第３の実施形態の構成及び使用状態を示す図である。
【図４】本発明の第４の実施形態の構成及び使用状態を示す図である。
【図５】本発明の第４の実施形態の構成及び使用状態を示す図である。
【図６】本発明の第５の実施形態の構成及び使用状態を示す図である。
【図７】本発明の第５の実施形態の構成及び使用状態を示す図である。
【符号の説明】
【００３２】
１    開閉ハンドル
２    バルブ本体
３    ハンドル設置部
４    ロック用キャップ
５    開口
６    固定ネジ
７    ネジ孔
８    挿通孔
９    ワイヤー式キー
１０    ワイヤー
１１    ロック用キャップ
１２    突部
１３    開口
１４    縦溝
１５    固定ネジ
１６    ネジ孔
１７    ワイヤー式キー
１８    ワイヤー
１９    挿通孔
２０    オネジ部
２１    ロック用キャップ
２２    ネジ環
２３    内筒
２４    内方フランジ
２５    外方フランジ
２６    開口
【図１】
2005188551.tif 000003
【図２】
2005188551.tif 000004
【図３】
2005188551.tif 000005
【図４】
2005188551.tif 000006
【図５】
2005188551.tif 000007
【図６】
2005188551.tif 000008
【図７】
2005188551.tif 000009